Podtech/llm-jp-corpus-v4-ja_patent huggingface dataset:
(57)【要約】      （修正有）【課題】海などで溺れた時に使用できる浮き輪部分を設けた、防災用としてラジオなども入れられるバックを提供する。【解決手段】バック本体１の底部分には、水に浮くことができる浮き輪部分２が一体的に設けられている。また浮き輪部分２は手でチューブ状の部分を掴つかむことで空気をいれることができる。また、浮き輪部分にとってを設けることで、水に浮いた時、掴まり易いようになっている。バックは防水で、水に濡れても中身が濡れないようになっている。【選択図】図１
2013116718.tif 000002
【特許請求の範囲】
【請求項１】
底部分に浮き輪部分を設けたことを特徴とするバック。
【請求項２】
前記浮き輪部分は、水に浮くことができることを特徴とする請求項１記載のバック。
【請求項３】
浮き輪部分はチューブ状の部分を掴むことで空気を入れる事ができることを特徴とする請求項１又は２のバック。
【請求項４】
浮き輪部分に、浮かんでいる時につかまりやすいように、とってを設けることを特徴と請求項１から３のバック。
【発明の詳細な説明】
【技術分野】
【０００１】本発明は、水に浮かぶバックに関するものである。
【背景技術】
【０００２】従来のバックはモノを入れて運ぶためのものです。大小様々なバックがあり、素材も様々なものがあります。バックは持ち運びに便利で全世界に普及しています。
【先行技術文献】
【特許文献】
【０００３】
【特許文献１】特開２００５−３１９８５８号公報
【発明の概要】
【発明が解決しようとする課題】
【０００４】  従来のバックの技術によれば、海などで溺れた時に大事なものを入れていた場合、バックは沈んでしまいます。また家に防災用としてラジオなどを入れたバックを備えていても、津波が来たら水に沈んでしまいます。本発明は以上の問題点を解決するものである。
【課題を解決するための手段】
【０００５】  以上の課題を解決するために、第一発明は、バックの底の部分に浮き輪部分を設けることを特徴とするバックである。
また、第二発明は、浮くことできる浮き輪部分に空気を入れることで、水に浮くことを特徴とするバックです。
第三発明は、浮き輪部分は手でチューブ状の部分を掴むことで空気を入れる事ができることを特徴とするバックです。
第四発明は、水に浮かんだ時に掴まり易いように浮き輪部分にとってを設けることを特徴とするバックです。
【発明の効果】
【０００６】  第一発明、または第二発明によれば、バックの底部分に浮き輪部分を設けたことにより、水に浮くことできるバックになる。
【図面の簡単な説明】
【０００７】
【図１】この発明の第１の実施形態を示す図である。
【図２】従来技術を示す図である。
【図３】浮き輪部分の第２の実施形態を示す図である。
【図４】第３の実施形態の浮き輪部分のとってを示す図である。
【発明を実施するための形態】
【０００８】  この発明の一実施形態を、図１に示す。
バックの本体１は従来のつくりであり、この本体１の底部分には、水に浮くことができる浮き輪部分２が一体的に設けられている。また浮き輪部分２は手でチューブ状の部分を掴つかむことで空気をいれることができる。また、浮き輪部分にとってを設けることで、水に浮いた時、掴まり易いようになっている。バックは防水で、水に濡れても中身が濡れないようになっている。
【実施形態の効果】
【０００９】  この実施形態によれば、バックの底部分に浮き輪部分２の働きで、水に浮くことができる。また、とって４を設けたことで水に浮かんだ時、掴まり易くなる。そして空気を入れる際、片手で空気を入れれるようにチューブ式にした。チューブ部分３を掴むと空気が入る。
【符号の説明】
【００１０】１  バック本体            ２  水に浮くことのできる浮き輪部分
３  空気を入れるチューブ部分  ４  とって
【図１】
2013116718.tif 000003
【図２】
2013116718.tif 000004
【図３】
2013116718.tif 000005
【図４】
2013116718.tif 000006
(57)【要約】【課題】  フランジとレールの接触により生じる金属音を減少させ、周囲に与える騒音の軽減を計る。【解決手段】  車輪のフランジ部分に溝を作り、その溝に摩擦係数が低く耐摩耗性に優れた樹脂を取り付けることにより、フランジとレールとの金属同士の接触を遮断する。これにより、騒音の低減を計るものである。【選択図】図１
2013116717.tif 000002
【特許請求の範囲】
【請求項１】
フランジ部分に樹脂を取り付けた鉄道用車輪
【発明の詳細な説明】
【技術分野】
【０００１】  本発明は、鉄道車両用の車輪である。
【先行技術文献】
【非特許文献】
【０００２】
【非特許文献１】  宮本昌幸編著  「図解・電車のメカニズム」  講談社  ２００９年１２月２０日発行  ｐ６０〜７６
【非特許文献２】  川辺謙一著  「図解・地下鉄の科学」  講談社  ２０１１年２月２０日発行  ｐ２３５〜２４２
【発明の概要】
【発明が解決しようとする課題】
【０００３】  従来技術においては、鉄道車両に使用されている車輪は、その大半が鋼材のみで作られている。そのために、車輪とレールが擦れ合うことで騒音が発生する。
列車の騒音の主な原因は、▲１▼レールと車輪が振動することで放射される音。▲２▼車輪とレールが擦れ合うことで生じる音。▲３▼電車そのものから出る音等がある。【０００４】  現在の騒音対策としては、▲１▼車輪・レールの削正。▲２▼円弧踏面の車輪の導入。▲３▼弾性車輪や防音車輪の導入。▲４▼電車の軽量化と台車の改良。▲５▼線路の防振防音対策。▲６▼塗油器の設置等がある。
列車の騒音は、市街地の地上を走る鉄道においては、近隣住民への騒音被害をもたらし、地下鉄においては、トンネルという特殊な環境下でもあるため、乗員・乗客に多大な騒音をもたらしている。【０００５】  踏面形状とフランジ遊間をもってしても吸収しきれない行路差のあるカーブにおいては、フランジがレールと接触しながら走行することになる。フランジとレールが接触することが、騒音（振動）の原因になっている。【０００６】  現在の鉄道車輪は、騒音対策として、先に挙げた弾性車輪や防音車輪を導入してはいるが、弾性車輪は普及せず、リング式防音車輪とゴムサンドイッチ式防音車輪が開発されている。これは、リム内周部分に防音リングをはめた車輪であり、騒音の発生原因であるフランジとレールの接触に対して対策を施したものではない。
【課題を解決するための手段】
【０００７】  現在の鉄道車輪では、直線走行特性（蛇行動の防止）と曲線走行特性の両立のために、修正円弧踏面が多く採用されている。この修正円弧踏面では、フランジがレールと接触する過程で、その接触点が踏面からフランジにジャンプすることがないよう、接触点ができるだけ連続的に変化するように設計されている。【０００８】  また、フランジは、脱線を食い止める最後の砦であり、フランジの立ち上がり角度が急なほど脱線しにくくなるが、分岐器の通過に問題が生じ、踏面との滑らかな接続が難しくなる。よって、フランジの立ち上がり角度は、修正円弧踏面の車輪では６５°、新幹線などでは７０°となっている。【０００９】  本発明は、このフランジの立ち上がり部分に、摩擦係数が低く尚且つ、耐摩耗性に優れた硬質樹脂を埋め込んだものである（図１）。
これにより、フランジとレールの金属同士の接触を減少させ、発生する金属音を大幅に小さくすることができる。【００１０】  具体的には、図１にあるように、６５°ないし７０°の角度を持つフランジの立ち上がり部分に溝を作り、その溝に摩擦係数が低く耐摩耗性に優れた硬質樹脂を埋め込む。
樹脂においても当然摩耗するので、定期的に交換する必要がある。このことも考慮して、フランジへの樹脂の取り付け方法を決定するとよい（接着やはめ込み式等）。
【発明の効果】
【００１１】  地上を走行する鉄道においては、近隣住民への騒音公害を減らし、地下鉄においては、車両内部に居る乗員・乗客の環境を飛躍的に改善することができる。
また、鉄道車両の脱線の原因のひとつでもある、フランジのレールへの乗り上げの可能性を低下させ、鉄道の安全性の向上にも寄与することができる。
【図面の簡単な説明】
【００１２】
【図１】  車輪断面図（部分）
【符号の説明】
【００１３】  １．  車輪リム部
２．  修正円弧踏面
３．  フランジ
４．  樹脂
【図１】
2013116717.tif 000003
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
フランジのレールとの接触点に当たる部分に溝を作り、その溝に摩擦係数が低く耐摩耗性に優れた硬質樹脂を埋め込み、フランジとレールの金属同士の接触を減少させ、金属摩擦音の発生を防止することを特徴とする、防音鉄道車輪。
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
フランジのレールとの接触点に当たる部分に溝を形成し、この溝に摩擦係数が低く耐摩耗性に優れた硬質樹脂を埋め込み、フランジとレールの金属同士の接触をなくすことにより、金属摩擦音の発生を防止することを特徴とする、防音鉄道車輪。
【請求項２】
車輪に埋め込む硬質樹脂に、高密度ポリエチレン樹脂・ポリプロピレン樹脂・フッ素樹脂を使用したことを特徴とする、請求項１に掲げる防音鉄道車輪。
(57)【要約】【課題】最近、方向指示器のついた自転車が走行しているが、前後左右の４個付いてるタイプが普通である。このように配置しないと、前方と後方にたいしての方向転換のウインカーシグナルが見えないからである。また利用者も高いコストの方向指示器を購入負担することになる。【解決手段】内鏡ボックス本体（１）の内部全体を鏡面（４）として設け、また下部にはＬＥＤ差込固定孔（９）を設ける、さらにレンズ体（２）を、内鏡ボックス本体（１）の前端部と後端部から、それぞれレンズ体（２）を装填固定する、また該固定孔からウインカーＬＥＤ（５）を挿入して装着する、そしてこのウインカーＬＥＤ（５）に配線（７）を施して、さらに電池ボックス（８）および制御ボックス（６）にも配線（７）を接続して設ける、最後に支柱（３）を内鏡ボックス本体（１）に固定して設ける。【選択図】図１
2013116721.tif 000002
【特許請求の範囲】
【請求項１】
内鏡ボックス本体（１）の内部全体を鏡面（４）として設け、また下部にはＬＥＤ差込固定孔（９）を設ける、さらにレンズ体（２）を、内鏡ボックス本体（１）の前端部と後端部から、それぞれレンズ体（２）を装填固定する、また該固定孔からウインカーＬＥＤ（５）を挿入して装着する、そしてこのウインカーＬＥＤ（５）に配線（７）を施して、さらに電池ボックス（８）および制御ボックス（６）にも配線（７）を接続して設ける、最後に支柱（３）を内鏡ボックス本体（１）に固定して設ける、このように形成した特徴よりなる、自転車用方向指示器。
【発明の詳細な説明】
【技術分野】
【０００１】  本発明は、自転車の方向指示のウインカー技術に関する。
【背景技術】
【０００２】  現在、方向指示器の多くは、自転車の後方に配置されたり、前後４箇所に配置されたりしてる。
【発明の開示】
【発明が解決しようとする課題】
【０００３】  このように配置されるのは、方向指示器の点滅側が前方の１方向に良く見えるように形成されているためである。つまりこの形式では真後ろにも、もう１個必要になる。
これら課題を解決するために本発明はなされたのである。
【課題を解決するための手段】
【０００４】  まず、両端を開放した内鏡ボックス本体（１）の内部全面を、鏡面（４）として設ける。つぎに、この下部にＬＥＤ差込固定孔（９）を設ける。さらにレンズ体（２）を内鏡ボックス本体（１）の前端部と後端部に、それぞれレンズ体（２）を装着固定する。またさらには、ＬＥＤ差込固定孔（９）からウインカーＬＥＤ（５）を挿入して固定する。つぎに配線（７）でこのウインカーＬＥＤ（５）と、別の場所に設けた電池ボックス（８）および制御ボックス（６）に接続して、最後に支柱（３）を内鏡ボックス本体（１）に取り付けて設ける。
本発明は、以上のような特徴からなる、自転車用方向指示器である。
【発明の効果】
【０００５】  ウインカーＬＥＤ（５）の点滅光が、内鏡ボックス本体（１）の内面の鏡面（４）で増幅されて、前後のレンズ体（２）により強いビームとなり、自転車の前方と後方に強烈な点滅を放射する。つまり従来よりシンプル構造に加えて、最低２個設置で済み経済的である。
【発明を実施するための最良の形態】
【０００６】本発明は、自転車の方向指示器の点滅を前方だけでなく、後方にも同時に良く見えるように形成したものである。
まず、両端を開放した内鏡ボックス本体（１）の内部全面を、鏡面（４）として設ける。
つぎに、この下部にＬＥＤ差込固定孔（９）を設ける。さらにレンズ体（２）を内鏡ボックス本体（１）の前端部と後端部に、それぞれレンズ体（２）を装着固定する。またさらには、ＬＥＤ差込固定孔（９）からウインカーＬＥＤ（５）を挿入して固定する。つぎに配線（７）で、このウインカーＬＥＤ（５）と、別の場所に設けた電池ボックス（８）および制御ボックス（６）に接続して、最後に支柱（３）を内鏡ボックス本体（１）に取り付けて設ける。
本発明は以上のような構成であり、これを使用せんとするときには、【０００７】  支柱（３）と共に、図２のごとく自転車の適当なる位置に取り付ける。あとは走行中に左折もしくは右折する場合は、制御ボックス（６）のスイッチを押すだけで、強烈なウインカービームが、前方と後方に発しられる。
【図面の簡単な説明】
【０００８】
【図１】  本発明の斜視組立図である。
【図２】  本発明の実施図である。
【符号の説明】
【０００９】  １  内鏡ボックス本体
２  レンズ体
３  支柱
４  鏡面
５  ウインカーＬＥＤ
６  制御ボックス
７  配線
８  電池ボックス
【図１】
2013116721.tif 000003
【図２】
2013116721.tif 000004
(57)【要約】      （修正有）【課題】遠方旅行、身障者用、タクシー用などにも使えるバッテリー不要の電動自転車で、構造を簡単にし、安いものを提供する。【解決手段】始動のペダル漕ぎを必要とする欠点はあるが、後は坂道を下る時の如く、平地でもゆるい坂道でも自力で走行できる。今の電動自転車の如く充電も不要ですべて自動で走行できるのは、クランク軸下の楕円形ボックス内に、ゼネレーター６Ｖ、６Ｗ。モーター６Ｖ３Ｗ。ギヤー。増幅モーター。及びスプロケット搭載し晝夜にかけ、走る。初動のペタル動作で自転車が走り初めると発電が開始６Ｖ、６Ｗ程度、１５０ＰＲＭの磁力増幅モーター力ですべて走行可能。【選択図】図４
2013116722.tif 000002
【特許請求の範囲】
【請求項１】
磁力増幅モーターボックス内に６Ｖ、６Ｗのゼネレーターを加え、１５０ＲＰＭで６Ｖ４Ｗを電気ＤＣモーター６Ｖ、３Ｗを回し、夜間照明用に２、４Ｗを使う分配で発電々気で現有のダイナモ使用をやめ、１般の電動自転車の如くバッテリーをやめ、８極外径５０φ水平軸厚み１０ｍｍのゼネレーターを設け、電気モーターを回し、増幅磁石モーターを回し、ギヤーを介し、スプロケットを回し、チエンを回し、速度は遅いが自力で走行するが初動は、ペタル漕ぎでスタートし、左のブレーキは電気モーターのスイッチをＯＦＦにし、活用する。
身障者でペタル漕ぎ不可の場合用には、手のハンドルでペタルを回す、充電不要、石油不要、下り坂を走るが如く、平地を自力走行する。
【発明の詳細な説明】
【技術分野】
【０００１】  本発明は、バッテリーのいらない電動自転車のゼネレーターに関する。
【技術背景】
【０００２】  ６Ｖのゼネレーター電源でＤＣ６Ｖモーターを回し、自力走行する自転車に関するもので現保有の６Ｖ、２、３Ｗダイナモ発電々気を使用しないで増幅モータの１部に専用ゼネレーターを追加し、初動のみペダル漕ぎの結果、後は自力走行する。特許ＮＯ＝特願２０１１−９４４８７
【発明が解決しようとする課題】
【０００３】  現在ランプ用に備え付けのダイナモ６Ｖ、２、３Ｗを使うのを止め、新しく増幅モーターボックス内に新専用ゼネレーター６Ｖ、３〜４Ｗ出力を設ける方法が課題。
【課題を解決するための手段】
【０００４】  本発明は、以上の課題を次の要件から実施する。
１）ボックス内に新ゼネレーターを設ける。
２）増幅モーターの回転力を直接回転運動１００〜１５０ＲＰＭに利用する
３）ローター磁石は、８ケにし梯形型にする。
４）ステーターは８ケ所銅線巻き個所を設ける。
５）ボックスの巾は８０ｍｍ程度にする。
【発明の効果】
【０００５】
【０００６】  図１は、電動自転車増幅モーターボックス内の水平軸に接続して回転する鉄板の磁石輪（１）にＮ、Ｓ準にはり付けた磁石（Ａ）が約１５０ＲＰＭで回転し、右側のステーターとの隙間を０、５〜１ｍｍでアルミリング固定円板で固定する。圭素鋼板の８ケ溝付き、プレス絞り固定板（３）の外周部を曲げ板（２）で固定し、８ケに０、５φの銅線を巻き端部を発電々線として６Ｖ、２〜４ＷのＤＣ小型モーターに接続し、始動スプロケットを介し自力走行する。外径約５０φ。
【０００７】  図２は、図１の左側（本体磁石増幅モーター側）からの図示で、外周の曲げ板（２）。その次に磁石取付磁石輪（１）。その次が８配板となり、ローターの仂きをするため軸と共に回転する。
【０００８】  図３は、先願特許の増幅モーター内説明用として添付した。
上記ゼネレーターは、自転車のランプ用ダイナモ６Ｖ、２、３Ｗ。とは関係なく自走用として専用化したもの。
【０００９】  図４は、自転車全体を示すもの。ボックス位置は、前チエンホイルの下に位置し、チエンの下側にスプロケットが接続する。ダルマ形で大径分径は約１１０φ長さ約１３５。
【産業の利用可能性】
【０００９】  本発明のゼネレーター付自力走行自転車は、バッテリー不要で始動のペダル漕ぎスタートでき、１般車の他、身障者用、老年者用３輪車用、運搬車用。３輪タクシー用、子供２人のせ用。及びバイク代替車用など、広く利用できるため、走行中足をペダルにかけて、足の運動用にもなり、充電の手間もなく、海浜、山上などへの旅行にも長期間利用でき、非常に便利で安価。音もなく、郵便、新聞、料理  運搬産業に利用可能。
【図面の簡単な説明】
【００１０】
【図１】本発明の自力走行自転車のゼネレーター正面断面図。
【図２】上記側面図。
【図３】本発明の増幅モーターボックス正面断面図。
【図４】本発明増幅モーターボックス説明全体図
【符号の説明】
【００１１】  Ａ、磁石                          Ｂ、銅線
１、磁石固定鉄板                  ２、曲げ板
３、ステーター固定板              ４、アルミ固定円板
５、６Ｖ  ＤＣモーター            ６、ギヤー
７、増幅ユーリン磁石              ８、主輪磁石
９、減速ギヤー                  １０、スプロケット
１１、ダイナモ                    １２、ランプ
【図１】
2013116722.tif 000003
【図２】
2013116722.tif 000004
【図３】
2013116722.tif 000005
【図４】
2013116722.tif 000006
(57)【要約】      （修正有）【課題】携行時の利便性と木製碁盤本来の使用感を同時に満たすことのできる携帯用碁盤を提供する。【解決手段】木製碁盤１を４分割し、ホゾ２で接続する。【選択図】図１
2013116302.tif 000002
【特許請求の範囲】
【請求項１】
木製の碁盤を４分割し、ホゾで接続する形態の木製４分割携帯碁盤。
【発明の詳細な説明】
【技術分野】
【０００１】  この発明は、４分割して携帯することができる木製碁盤に関する。
【背景技術】
【０００２】  一般的な携帯用の碁盤としては裏面に蝶番を使った折り畳み式の碁盤が知られている。【０００３】  一方、小型かつ軽量化に特化したものとして、磁石の碁石を用いる簡易携行用の小型金属製碁盤が知られている。
【先行技術文献】
【特許文献】
【非特許文献】
【発明の概要】
【発明が解決しようとする課題】
【０００４】  しかしながら、裏面に蝶番を使うタイプの折り畳み式碁盤は２分割であり、ブリーフケース等に収納して携帯することは困難であった。  また、磁石の碁石を用いる簡易携行用の小型金属製碁盤では、使用時も小型のままであり使用しづらく、さらに木製碁盤のような本格的な使用感を得られなかった。  本発明は、このような問題を解決するためになされたものである。
【課題を解決するための手段】
【０００５】  木製碁盤を４等分に分割し、ホゾでつないで使用する。  本発明は、以上の構成よりなる木製４分割携帯碁盤である。
【発明の効果】
【０００６】  携行時は木製碁盤を４分割することによりブリーフケース等に収納が可能となる。  さらに、ホゾ接ぎ方式を採用することにより裏面を１３路盤や９路盤等として使用することができる。  また、前提として木製の碁盤であるため、本格的な使用感が楽しめる。
【図面の簡単な説明】
【０００７】
【図１】本発明の平面図である。
【発明を実施するための形態】
【０００８】  以下、本発明を実施するための形態について説明する。  ４分割された木製碁盤（１）にそれぞれホゾ（２）とホゾ穴を設ける。  本発明は、以上のような構造である。  使用時はホゾ穴にホゾを差し込み、固定して使用する。  携行時はホゾ穴からホゾを抜き取り、４枚を重ねてベルト等で固定しブリーフケース等に収納して携行する。
【符号の説明】
【０００９】  １  ４分割された碁盤  ２  ホゾ
【図１】
2013116302.tif 000003
(57)【要約】      （修正有）【課題】顔のほうれい線、小皺、タルミ、シミなどの解消を目的とした美容機を提供する。【解決手段】小型振動機（バイブレーター）（イ）を手袋（ア）と一体させ、五本の指の腹の所に装着させた。顔はもとより肩、首、腰、足、ふくらはぎ、足首、足の裏等にも使用することができ、五本の指にバイブレーダーを付けてあるので、揉む、摩る事で血行やリンパ液の流れが良くなり美肌効果や女性に多い冷え性が改善されリラクゼーションとして大いに喜ばれるものである。また、手袋とバイブレーター機は取り外し、手袋は洗う事ができるので、清潔である。【選択図】図１
2013116301.tif 000002
【特許請求の範囲】
【請求項１】
小型バイブレーター振動機を手袋と一体とし、五本の指の腹に当たる所に装着させたものである。
【請求項２】
衣手袋及び合成樹脂皮等の手袋に、バイブレーターを一体に合体させたものである。
【請求項３】
手袋とバイブレーター（振動機）は取り外す様にしてあり、手袋は洗えるのである。
【発明の詳細な説明】
【技術分野】
【０００１】  小型振動機バイブレーダーは世間で広く使われており、技術的には確立しておりそれを色々な使用法を考える事で分野が広がるのである。
【背景技術】
【０００２】  美顔機として考案、発明したものである。また、マッサージ機としても使用出来るものである。
【発明の開示】
【発明が解決しようとする課題】
【０００３】  体をマッサージする機具は色々あるが、大半の機具は大きくマッサージより、揉むという方が大かたである。全身を相細なく、優しく顔や頭皮までマッサージが出来ることが解決するのである。
【課題を解決するための手段】
【０００４】  専用手袋に小型振動機を、指の腹の方に装着させたマッサージ機である。
【発明の効果】
【０００５】  今まで木目細かく全身を優しくマッサージする機械がなかった。指の腹に振動機を付ける事で顔はおろか、足の爪先から頭の頂辺まで隈なくマッサージでき、また揉む事も出来るので肩、首、腹、脇腹、足、足の裏など揉み解かす事が出来る優れた機具である。
【発明を実施するための最良の形態】
【０００６】  小型振動機を振動の揺れを大（強く）、中、小（弱く）とスイッチを切り替える事で、マッサージ効果が得られるのである。
【実施例】
【０００７】  今までにないマッサージ機で全身を木目細かく、優しくマッサージするので肌当たりが良く、特に顔のほうれい線が消え美肌になり若くなったのである。
【産業上の利用可能性】
【０００８】  美容、エステ、マッサージ、肩、腰と美肌、美顔、コリに指先と手の平とで、全身を摩ったり、揉み解かす事の出来る画期的なマッサージは産業上貢献する事が出来るのである。
【図面の簡単な説明】
【０００９】
【図１】Ａ  上面図  Ｂ  側面断面図  Ｃ  正面断面図
【符号の説明】  （ア）手袋                                  （カ）手
（イ）振動機（バイブレーター）              （キ）指先
（ウ）コイール                              （ク）爪
（エ）スイッチ・基板
（オ）コンデンサー（蓄電器）（乾電池）
【図１】
2013116301.tif 000003
(57)【要約】【課題】紙はさみクリップを貼付用具として利用する為に既製の押しピンを装着して貼付具としてマルチ的に利用し、押しピンの抜き差しをせずに掲示物の貼付の張替を可能にする、又粘着式貼付具も粘着部のはがしをせずに掲示物の張替を可能とする解決の方法を課題とした。【解決手段】紙はさみクリップに押しピン孔を設け、既製の押しピンを装着して貼付具として使用し、又粘着部を設けて掲示物を掲示板に貼付できる構造とした。【選択図】図１
2013116618.tif 000002
【特許請求の範囲】
【請求項１】
（１）紙類をクリップする具に押しピンの針の孔を設け、既製の押しピンの着脱が可能な事を特徴としたマルチクリップ。
（２）紙類をクリップする具に押しピン針の誘導溝を設け押しピンの着脱を容易にする事を特徴とするマルチクリップ。
（３）紙類をクリップする具の裏面に粘着部を設け掲示板に張り付ける事を特徴としたマルチクリップ。
【発明の詳細な説明】
【技術の分野】
【０００１】  本発明は事務用品、掲示板の掲示貼付用具である。
【背景の技術】
【０００２】  事務用品の掲示具は押しピンを初め粘着式掲示具など掲示板の材質によりそれぞれ多用されている。
なお、がびょう（プッシュピン）（１）の頭の部分にクリップ状のはさみ部（１）（２）（３）を設ける。
（実用新案文献１参照）。
【先行技術文献】
【０００３】
【実用新案公開文献１】
平７−３７６７６号公報
【発明の概要】
【発明が解決しようとする課題】
【０００４】本発明は紙を挟むクリップに掲示板に使用できる貼付機能を持たせたものである。Ｕ字型のクリップに押しピン孔や押しピン針誘導溝、或いは粘着部を設け、既製の押しピンの組み合わせ着脱が可能とし、クリップ、クリップ式押しピン、或いは粘着式貼付具として、それぞれの使用目的に適応させる事を課題とした。
【課題を解決するための手段】
【０００５】本発明のマルチクリップはクリップに針孔及び針誘導溝を設け既製の押しピンの着脱が可能とした構造で、押しピン又は粘着部を組み合わせて掲示板の材質を選ばないクリップ兼掲示具を提供するものである。
【発明の効果】
【０００６】  本発明の特徴はクリップに既製の押しピンの装着脱を可能とし、掲示メモクリップ、一般掲示具として使用することである。掲示物の張り替に際し、押しピンの抜き差しの手間を省き、押しピンの脱落も減少させ、針による怪我も少なくなる、マルチクリップの粘着貼付を組み合わせればガラス面、プラスチック面など針を使えない場所や傷を付けたくない面に貼付して使用し、貼付用のシールのはがしや、張替などの手間が簡略される。
【図面の簡単な説明】
【０００７】
【図１】はマルチクリップの上部からの立面斜視図である。
【図２】はマルチクリップの裏面の押しピンの装着と針孔の位置を示す立面斜視である。
【図３】はマルチクリップの裏面の押しピン針誘導溝と針孔及び粘着部の組み合わせを示す立面斜視図である。
【発明を実施するための形態】
【０００８】    以下、本発明の実施の形態を説明する。
本発明を図１から説明すると、マルチクリップ本体（１）は、主に紙類を挟むに供するマルチクリップの立面斜視図である。図２は、マルチクリップ（１）の裏面の中央付近に押しピン針挿入用の孔（２）を設け、既製の押しピン（５）を装着した状態を示す立面斜視図である。図３は裏面の押しピン針の誘導溝（３）を設けた部を示す立面斜視図で、この溝により押しピンの針を横滑りさせ簡単に押しピンを組み合わせる事ができる。このマルチクリップ（１）に貼付部（４）を設け、ガラスなど押しピンの使用出来ない所に貼付して掲示具として使用ができる。尚、マルチクリップには簡便な押しピン挿入工具が提供される。
【符号の説明】
【０００９】（１）はマルチクリップの本体部である。（２）は押しピンの孔である  （３）は押しピン針誘導溝である。（４）粘着部である。（５）は押しピンである。
【図１】
2013116618.tif 000003
【図２】
2013116618.tif 000004
【図３】
2013116618.tif 000005
(57)【要約】【課題】  画鋲の視覚的、美的機能を補うために画鋲の飾り具を提供する。【解決手段】  中心部に針穴（１）を設けた押え部（２）の外周に様々な模様を施した飾り部（３）を設けたことを特徴とする画鋲の飾り具。【選択図】図１
2013116619.tif 000002
【特許請求の範囲】
【請求項１】
中心部に針穴（１）を設けた押え部（２）の外周に様々な模様を施した飾り部（３）を設けたことを特徴とする画鋲の飾り具。
【発明の詳細な説明】
【技術分野】
【０００１】  本発明は、画鋲を美的に楽しく飾り付けるため、中心部に針穴を設けた押え部の外周に様々な模様を施した画鋲の飾り具に関するものである。
【背景技術】
【０００２】  従来の画鋲においては、画鋲頭部の形状や色彩など、多くの種類が市販されている。
【発明の概要】
【発明が解決しようとする課題】
【０００３】  これは、次のような欠点があった。
しかしながら、どの画鋲においても、画鋲の視覚的美的機能においては、はなはだ乏しい面があった。
本発明は以上の美的機能を補うために考えたものである。
【課題を解決するための手段】
【０００４】  中心部に針穴（１）を設けた押え部（２）の外周に様々な模様を施した飾り具（３）を設けた。
本発明は以上のような構成からなる画鋲の飾り具である。
【発明の効果】
【０００５】  本発明を画鋲に装着して使用すればあたかも画鋲に花が咲くかのごとくに画鋲に美的雰囲気が得られ、画鋲を使用する楽しさが味わえる。
また、本発明を使用すると、対象物を押える範囲が大きくなり、押さえ効果が高まる。
とくに、丸い頭部を有する画鋲に使用すれば、その効果は顕著である。
さらには、二重画鋲に装着して使用した場合、画鋲を抜き取る際に画鋲飾りの端部を指先で持ち上げるようにして容易に画鋲を抜き取る事ができる。
【図面の簡単な説明】
【０００６】
【図１】  本発明の平面図である。
【図２】  本発明の実施例の断面図である。
【図３】  本発明の模様や形を変えた実施例を示した平面図である。
【図４】  本発明の模様や形を変えた実施例を示した平面図である。
【図５】  本発明の模様や形を変えた実施例を示した平面図である。
【図６】  本発明の模様や形を変えた実施例を示した平面図である。
【図７】  本発明の模様や形を変えた実施例を示した平面図である。
【発明を実施するための形態】
【０００７】  以下本発明を実施するための形態について説明する。
中心部に針穴（１）を設けた押え部（２）の外周に様々な模様を施した飾り部（３）を設けたものである。
本発明は以上のような構造である。
本発明を実施するときは、画鋲の針先を画鋲の飾り具の針穴（１）に画鋲の針の元まで差し込んで装着したあと、掲示する対象物を壁面や木柱、コルク板等へ画鋲の頭部を画鋲飾りの押え部（２）の上から強く押さえつけることにより、飾り部（３）も同時に対象物に密着して美的に固定することができる。
【符号の説明】
【０００８】    １  針穴
２  押え部
３  飾り部
【図１】
2013116619.tif 000003
【図２】
2013116619.tif 000004
【図３】
2013116619.tif 000005
【図４】
2013116619.tif 000006
【図５】
2013116619.tif 000007
【図６】
2013116619.tif 000008
【図７】
2013116619.tif 000009
(57)【要約】【課題】  直線度の精度が求められる被加工物を簡便な作業で固定できる、安価で、生産性の向上した方法及び装置を提供する。【解決手段】  支持枠上に、移動及び被加工物との間隙を任意に変えられる、被加工物と接触する固定具の面上に曲率半径Ｒ１５〜３０を有する補助冶具を備えた前後一組の複数の固定具を配置し、被加工物の本来有している曲がり、歪に従った固定をすることにより、安価な装置で、加工後の弾性復元を抑え、繰り返し加工回数を削減でき、精度の向上と共に、生産性の向上が図れた。【選択図】図２
2013116543.tif 000002
【特許請求の範囲】
【請求項１】
作業台、被加工物の支持枠、支持枠の長手方向に配置された前後一組の固定具群からなる固定装置であって、前後の固定具の少なくとも一方は、被加工物との接触面上に、曲率半径Ｒ１５〜３０の突起を少なくとも三個有する補助冶具を備えており、後方の固定具群を被加工物の形状に従って固定した後、前方の固定具群で締め付け、固定して加工することを特徴とする被加工物の固定装置。
【請求項２】
被加工物がそれ自体回転する、回転機器の部品であることを特徴とする第１項記載の固定装置。
【請求項３】
被加工物が、車両フレーム部品であることを特徴とする第１項記載の固定装置。
【発明の詳細な説明】
【技術分野】
【０００１】  本発明は、回転機器用長尺材料、或いは車両フレーム用長尺材料の、直線度を向上させる加工の際に用いられる固定方法及び固定装置に関する。
【背景技術】
【０００２】  発電機等回転機器に用いられる回転軸受け、その周囲で用いられる回転機器部品は、回転軸を中心に高速回転するため、中心回転軸からのブレが大きいと機器の安定した運転が不可能となり、危険性も増す。
特に長尺になった場合、微小な撓みが機器の性能低下に直結するばかりでなく、安全面でも問題となるため、直線度の高い材料が要望されていた。
また、車両フレームに使用される長尺材料は、常に連続した振動条件下に晒されるため、安全運転上、特に高速運転される車両については、共鳴振動を防止するため、材料の歪は極力低減することが望まれていた。【０００３】  前記課題を解決するために、下記のような発明が開示されている。特許文献１記載の固定装置は、平板状の材料を対象とし、支持台の上に多数の穴を設け、その穴を通した油圧で作動するロッドで被加工物を押さえるものである。平板状材料に対しては好ましい押さえ効果が得られるが、装置コストが高価になるため利用し難いという欠点があった。特許文献２記載の多連バイス装置は複数の被加工物の固定、或いは複数個所の固定には適するが、上記問題点の解決には適さない。特許文献３記載の固定具は、ハニカムパネルの固定には適するが、同様に上記問題点の解決には適さない。特許文献４記載の固定装置は形状が不特定な被加工物の固定には適するが、装置コストが高価なこと及び細長い形状の被加工物に対しては効果が十分でないという問題があった。
【先行技術文献】
【特許文献】
【０００４】
【特許文献１】特開平５−３４８９１号公報
【特許文献２】特開平７−２７６１６７号公報
【特許文献３】特開２０００−１４１１１７号公報
【特許文献４】特開２００６−１３６９７７号公報
【発明の概要】
【発明が解決しようとする課題】
【０００５】  本発明では前記の問題点を考慮し、特に長尺鋼材の曲がりやねじれを矯正し、直線度の高い加工を行うための、装置コストが安価で、作業が容易な方法を提供し、全体としてのコスト低減を図ることを目的とした。
【課題を解決するための手段】
【０００６】  本発明では上記課題を解決するために、長尺の被加工物を加工する作業台、被加工物を支持する支持枠、支持枠の上に、支持枠の長手方向に配置された複数の固定具とから装置を構成し、固定具は支持枠長手方向に対し、垂直方向に固定間隙を自由に変えられる構造とすると共に、該固定具が口金の表面に曲率半径Ｒ１．０〜５．０を有する突起を両端部に少なくとも二個及び中央部に少なくとも一個備えた補助冶具を配置した構造とする水戸により、被加工物の曲がり、或いは歪に従って固定でき、固定具による締め付け時の歪の発生及び取り外した後の弾性復元を避けることができる。
【発明の効果】
【０００７】  本発明の装置は構成が単純であるため装置価格を安価にできる。また被加工物の形状に従った固定が可能なため、加工後の弾性復元の問題がなくなり、精度を向上させる繰り返し加工回数を低減でき、生産性の高い加工が可能となった。
【図面の簡単な説明】
【０００８】
【図１】  本発明で使用した、固定装置の側面の概略説明図である。
【図２】  本発明で使用した、固定具の側面の概略説明図である。
【発明を実施するための最良の形態】
【０００９】  図１に本発明の一実施例を示す。支持枠は幅５００×長さ４０００で、被加工物を置く支持枠は、作業し易い高さの作業台上に設置され、支持枠の上下には、支持枠の長手方向に沿って複数の固定具が配置されている。固定具の位置は任意に移動でき、また被加工物と固定具の間隙も自由に調節可能である。
先ず、被加工物は、支持枠の両端に支えられて支持枠上に置かれる。次いで、後方の固定具を被加工物の形状に合わせて固定する。更に前方の固定具で被加工物を固定する。固定された被加工物には、切削等の加工が施される。
被加工物と接触する固定具の表面には曲率半径Ｒが十分に大きい突起が設けられているため、接触がスムーズとなり、全体としてバランスのとれた締め付けが可能となった。固定具の突起は複数の半球形状、或いは波形状を任意に選択できる。
通常被加工物の固定、被加工物の加工、それに続く被加工物の取り出しの操作が複数回繰り返されるが、本発明の方法によれば、押圧による歪を生ずることがなく、その結果として加工後の弾性復元もないため、加工の繰り返し回数を大幅に削減することができる。
【実施例】  本発明の実施例を説明する。
【実施例１】
【００１０】  図１に示す装置を用い、焼き入れ済みＳ４５Ｃ６角Ｈ７２×２０００Ｌを支持枠上に配置した。次いで、後方固定具を被加工物の形状に従い、固定する。その後、前方固定具で被加工物を前方から締め付け固定し、加工を行った。２０本加工して、その曲がり検査を実施した。その結果を表１に示す。
【実施例２】
【００１１】  図１における後方固定具を全て零レベルに調整した以外は、実施例１と同様に被加工物を固定し、加工した。曲がり検査の結果を表１に示す。【００１２】
【表１】
2013116543.tif 000003
【産業上の利用可能性】
【００１３】  本発明の固定装置を利用することで、被加工物に押圧による歪を発生させず、加工後脱圧したときにも弾性復元が生じないので、直線度向上が顕著であり、回転機器、特に長尺の回転機器部品の加工分野で、或いは車両フレーム、特に高速運行される車両フレームの加工分野において、安価な装置で、生産性を向上できるので有用である。
【符号の説明】
【００１４】  １：被加工物、２：作業台、３：支持枠、４：後方固定具、５：前方固定具、６：後方固定具の固定口金、７：前方固定具の移動口金、８：補助冶具
【図１】
2013116543.tif 000004
【図２】
2013116543.tif 000005
(57)【要約】【課題】従来の裁断道具として代表的なハサミやカッターナイフは、どれも刃を有しているため、その使用の際に怪我をしてしまうという事故が発生してしまう。これは幼児などに特に多く、その使用方法を誤ってしまうと、大怪我につながってしまう可能性もある。更に、利き手の問題などもあるため、本発明では使用者を選ばず、どのように使用しても安全である裁断道具を提案することを課題とする。【解決手段】本発明では刃を用いた切断ではなく引き裂くことにより裁断を行う方式を採用することで上記の課題の一つである安全性の問題を解決する。更に、道具を完全なシンメトリー構造とすることで、使用者の利き手に関係なく使用できる裁断道具とする。【選択図】図２
2013116544.tif 000002
【特許請求の範囲】
【請求項１】
刃を用いずに、上下左右から裁断部を挟み込み、それらにより紙を引き裂くことで裁断を行う道具。
【発明の詳細な説明】
【技術分野】
【０００１】  本発明は、刃を用いない裁断方式に関するものである。
【発明の概要】
【発明が解決しようとする課題】
【０００２】  従来のハサミやカッターナイフに代表される裁断道具には刃が付属しており、使用方法を誤ることや、偶発的な事故により使用者及びその周囲の人々に対して危険であった。更に、利き手により使用に制限があるといった問題があった。そこで、本発明は使用者を選ばず、どのような使用方法においても危険のないものとすることを課題とする。
【課題を解決するための手段】
【０００３】  上記課題を解決するために、請求項１記載の道具は刃を用いた裁断を行うのではなく、４枚のラバー状マグネットにより上下左右から裁断部を挟み込み、それらを２枚一組とし、上下に引き裂くことにより裁断を行う方式を採用する。刃を用いないことで道具のどこに触れても危険性は無く、且つ、ラバー状マグネットにより裁断部を上下左右から挟み込むことにより直線的な裁断を可能にするものである。
【発明の効果】
【０００４】  本発明は、刃を用いないことで身体的な危険性を極限まで低下させることができ、且つ、従来の刃を用いた裁断道具と同様に裁断を行うことができる。
【図面の簡単な説明】
【０００５】
【図１】本発明の本体の平面図
【図２】本発明の使用状態を示す図
【発明を実施するための形態】
【０００６】  本発明の裁断道具により紙を裁断する際は、裁断部を上下左右からラバー状マグネット（１）〜（４）で挟み込み、上下の２枚を一組として、それらを用いて紙を上下に引き裂くことで裁断が行える。
【実施例】
【０００７】  本発明を用いれば、ハサミやカッターナイフを用いずに紙を裁断できる。そのため、使用者や周囲の人々にとって安全であり、特に幼児などの刃物を使用させるには不安を感じる使用者にとって特に大きなメリットがある。
【図１】
2013116544.tif 000003
【図２】
2013116544.tif 000004
(57)【要約】【課題】認知症のペットを介護する際、バスマットなどを接続した場合扱いずらく、例えば繋ぎ目が破れたりして徘徊を防止する手段にはならなかった。【解決手段】長方形半透明プラスチック材で、該プラスチック材の短辺側の一端にフックを設け、該プラスチック材の短辺側の他端側には前記フック取り付けるためのボタンを有したペット介護用サークルにて解決した。【選択図】図３
2013116098.tif 000002
【特許請求の範囲】
【請求項１】
長方形半透明プラスチック材で、該プラスチック材の短辺側の一端にフックを設け、該プラスチック材の短辺側の他端側には前記フック取り付けるためのボタンを有したペット介護用サークル。
【発明の詳細な説明】
【技術分野】
【０００１】  認知症のペットに使用する徘徊防止用サークルに関する。
【背景技術】
【０００２】  従来はバスマットを用いて遮断するようにして徘徊を防止していた。
【発明の概要】
【発明が解決しようとする課題】
【０００３】  バスマットなどを接続した場合扱いずらく、例えば繋ぎ目が破れたりして徘徊を防止する手段にはならなかった。
【課題を解決するための手段】
【０００４】長方形半透明プラスチック材で、該プラスチック材の短辺側の一端にフックを設け、該プラスチック材の短辺側の他端側には前記フック取り付けるためのボタンを有したペット介護用サークルにて解決した。
【発明の効果】
【０００５】この解決手段によってペットオーナーの負担軽減が図れるようになる。
【図面の簡単な説明】
【０００６】
【図１】本発明の平面図
【図２】本発明の側面図
【図３】本発明の広げた図
【発明を実施するための形態】
【０００７】図面を用いて説明すると、図１、２はこの発明の組み立てたものであり、そのサークル内に認知症のペットをいれて徘徊を防止している。図３はこのサークルの組み立て前であり、一端にボタンフォック（雄）２を取り付け、他端こはこのフックを取り付けるためのボタンフォック（雌）３を設けている。これを丸めたのが図１と２である。
尚、サークル材１の材質や形状は長方形半透明プラスチック材を使用している。
【符号の説明】
【０００８】  １  サークル材
２  ボタンフォック（雄）
３  ボタンフォック（雌）
【図１】
2013116098.tif 000003
【図２】
2013116098.tif 000004
【図３】
2013116098.tif 000005
(57)【要約】【課題】今まで、米１粒の食感を残した可食容器がなかった。アイスクリームなどの容器は穀物粉から作られており、１粒の食感を残したものではなかった。粒から可食容器を製作する方法としては押し出し成型法があるが、これも粒としての食感が残らない製品である。この発明は、米粒としての食感を残した可食容器の成形方法を提供することを課題とする。【解決手段】、成形金型を上型と下型の２つに分け、米粒を下型内に入れ、上型を下型に押さえつけ、米粒を直に圧縮することにより成形すると共に、金型内を密封し、発生した蒸気を米粒内に閉じ込めたのち、素早く金型を開き、均質に減圧させ、米粒内の水蒸気圧力により可食容器を均質に膨化、乾燥させることにより、米粒としての食感を残した可食容器を成形可能とする。【選択図】図１
2013116097.tif 000002
【特許請求の範囲】
【請求項１】
米粒を温調した成形金型内へ入れ、金型を直に米粒へ押し付け成形するとともに、金型内を密封し、発生した蒸気を米粒内に閉じ込めたのち、金型を開き、金型内を素早く均質に減圧させ、短時間に米粒内の水蒸気圧力により成形容器を均質に膨化、乾燥させることを特徴とする成形方法である。
【発明の詳細な説明】
【技術分野】
【０００１】この発明は、米粒を原料とする可食容器の成形方法に関する。
【背景技術】
【０００２】従来の穀物を原料とする可食容器の成形方法は、図４に示すように、成形金型内に狭いノズルから軟らかく流動化した穀物を押し出し成形するもので、ノズル部分で材料が均質化され、米１粒の食感が得られない可食容器を成形するものである。
【先行技術文献】
【特許文献】
【０００３】
【特許文献１】特開２００１−１５０４９５号公報
【発明の概要】
【発明が解決しようとする課題】
【０００４】米粒を原材料としても、上記の方法で可食容器を形成する場合、可食容器は均質材料の容器となり、米の粒としての食感が残らない製品が成形される。【０００５】そこで、この発明は、米の粒としての食感を残した可食容器を製造可能な成形方法を提供することを課題とする。
【課題を解決するための手段】
【０００６】以上の課題を解決するために、米粒を温調した成形金型内へ入れ、金型を直に米粒へ押し付け成形するとともに、金型内を密封し、発生した蒸気を米粒内に閉じ込めたのち、金型内を素早く均質に減圧させ、短時間に米粒内の水蒸気圧力により成形容器を均質に膨化、乾燥させる方法による。
【発明の効果】
【０００７】米粒のまま成形されるので、米粒の食感が残った可食容器が成形される。
【図面の簡単な説明】
【図１】米粒投入状態を示す図である。
【図２】成形状態を示す図である。
【図３】成形品の１例を示す図である。
【図４】従来技術を示す図である。
【発明を実施するための形態】
【０００８】この発明の一実施形態を、図１、図２、図３に示す。
上下金型は金属であり、下金型上部には金属製のシールリングが設置されている。
【０００９】上下金型に調温用ヒーターが設置されている。
【００１０】原材料である米粒を設定温度に熱せられた下金型へ投入後、設定温度に熱せられた上金型を直接米粒に押さえつけ、成形金型の形状に変形させる。
【００１１】上金型を下金型のシールリングに当たるまで押し込むことにより、変形し成形金型上部からはみ出た可食容器の余分の部分をシールリングと上金型の間で切断すると共に成形金型内を密閉する。
【００１２】米粒の量は型内の空気を追い出し、気泡が残らないのに十分な量とし、目安としてはすべての可食容器端から変形した米がはみ出る量とする。
【００１３】可食容器は米粒が横に広がった状態で成形される。
【００１４】上金型を下金型から急速に離し、成形金型内の圧力を開放し、米内に残っている高温に熱せられ高圧になった蒸気圧力により可食容器を厚さ方向に膨張させるとともに、一気に乾燥されるので高温によりアルファー澱粉化していた状態が保持され、米が粒の状態で結合した可食容器が成形される。
「実施形態の効果」  この実施形態によれば、米粒の広がりを基礎とした可食容器が成形されるので、１粒の食感が残った可食容器を成形することができる。
【図１】
2013116097.tif 000003
【図２】
2013116097.tif 000004
【図３】
2013116097.tif 000005
【図４】
2013116097.tif 000006
(57)【要約】【課題】タッチパネルが無反応な素材でのタッチパネル操作を可能にする。【解決手段】導電性の素材（例えばアルミ箔など）をシールやテープにしたものの一方をタッチパネルを操作する部分に貼り付け、もう一方の部分が身体の一部に接するような貼り付け方をすることで、非導電性素材の手袋等を身につけていても、タッチパネル操作が可能となる。【選択図】図１
2013116978.tif 000002
【特許請求の範囲】
【請求項１】
いろいろな形状の非導電性のものに貼ったり、巻き付けたりすることにより、タッチパネル操作が可能となる静電気伝達テープ。
【請求項２】
いろいろな形状の非導電性のものに貼ったり、巻き付けたりすることにより、タッチパネル操作が可能となる静電気伝達シール。
【発明の詳細な説明】
【技術分野】
【０００１】
本発明は、タッチパネルに通常では無反応な素材でできた手袋等の装着時でも、タッチパネル操作を可能にするテープに関するものである。
【背景技術】
【０００２】
手袋等装着時には、導電性の金属を織り込んだ専用の手袋や特殊なタッチペンを使用しなければ、タッチパネルを操作することができなかった。
【０００３】
しかし、専用の手袋やタッチペンでは、個人の嗜好に合うものが少なく、高価であり、また防水・防寒など、機能面での不足や、サイズが合わないなどの欠点があった。
【発明の概要】
【発明が解決しようとする課題】
【０００４】
任意の手袋や、筆記具など、いかなるものを介しても、素手の指先と同様の操作ができるようにすることにある。
単体では静電気を伝えることができないセロファン・ビニール等の素材でも静電気を伝達できるようにすることにある。
【課題を解決するための手段】
【０００５】
本発明は、手持ちの手袋やペンに貼り付けたり、巻いたりするだけでタッチパネル操作を可能にするということを最も主要な特徴とする。
【発明の効果】
【０００６】
本発明の静電気伝達テープは、さまざまな素材や形状の物に貼り付けたり、巻き付けたりするだけで、従来は不可能だったタッチパネル操作を可能とし、しかも安価であるという利点がある。
表面がやわらかいため、タッチパネルを傷つけることがなく、また、貼り付けるものに合わせて、様々な色や模様が使用できる。
【図面の簡単な説明】
【０００７】
【図１】図１はテープの構造を示した断面図面代用写真である。
【図２】図２はテープの全体図面代用写真である。
【図３】図３はテープの実施方法を示した図面代用写真である。（実施例１）
【図４】図４はテープの実施方法を示した図面代用写真である。（実施例２）
【発明を実施するための形態】
【０００８】
タッチパネルを傷つけない硬度の表面素材（セロファン・ビニル等）の裏に、導電性の素材（例えばアルミ箔）を薄くて細長いテープ状にしたものを貼付、または金属蒸着を行い、さらに粘着テープや粘着剤を重ねたものである。テープは一定の長さに切ることも、ロール状にすることも可能である。
【０００９】
静電気無反応素材がタッチパネルに接し、操作する部分（例えば手袋の指先）に本発明のテープの一方を貼り、もう一方を身体の一部（例えば手首）に直に接するように貼ることによって、簡易にタッチパネルが反応することを実現した。
【００１０】
図３、図４は、本発明を使用する場合の予想される頻度の高い実施方法の図である。
【実施例１】
【００１１】
図３は、手袋に装着する際の一例である。本発明のテープの一方をタッチパネルに接する部分に貼り、もう一方を手袋の裏側に折り込むように貼り、手首や手のひらなどの身体の一部と直に接するようにする
【実施例２】
【００１２】
図４は、ボールペン等細長い物に装着する際の一例である。本発明のテープの一方をタッチパネルに接する部分に貼り、もう一方を指や手のひらなど、身体の一部と直に接するようにする。ボールペン等に限らず、使い捨て綿棒のような物に対しても装着が可能である。
【符号の説明】
【００１３】
１Ｐ    やわらかいセロファン等のコーティング部分
１Ａ    アルミ箔等の導電性素材部分
１ＡＨ  テープ表
１ＡＵ  テープ裏
１      人間の手
２      手袋
２Ｈ    手袋表側
２Ｕ    手袋裏側
３      ボールペン
４      テープ
５      タッチパネル
【図１】
2013116978.tif 000003
【図２】
2013116978.tif 000004
【図３】
2013116978.tif 000005
【図４】
2013116978.tif 000006